(57)【要約】  本発明の実施形態のフィルムアンテナは、誘電層と、誘電層の上面上に配置され、位相差配列（phased array）を形成する複数の放射パターンとを含む。互いに異なる位相を有する放射パターンにより、直進性、ゲイン特性を向上することができる。
2021511719.tif 000002
【特許請求の範囲】
【請求項１】
単一の誘電層と、
前記単一の誘電層の上面上に共通に配列され、位相差配列（phased array）を形成する複数の放射パターンとを含む、フィルムアンテナ。
【請求項２】
前記放射パターンのそれぞれから延長する伝送線路と、前記伝送線路の一端に接続された信号パッドとをさらに含む、請求項１に記載のフィルムアンテナ。
【請求項３】
前記信号パッドと隣接するグランドパッドをさらに含み、前記信号パッドは、一対の前記グランドパッドの間に配置される、請求項２に記載のフィルムアンテナ。
【請求項４】
前記信号パッドと接続される接続配線を含む回路基板と、
前記回路基板上に配置され、前記接続配線を介して前記放射パターンを個別に制御する駆動集積回路（ＩＣ）チップとをさらに含む、請求項２に記載のフィルムアンテナ。
【請求項５】
前記駆動ＩＣチップは、それぞれの前記放射パターンと電気的に接続され、互いに異なる位相の信号を給電する駆動パッドを含む、請求項４に記載のフィルムアンテナ。
【請求項６】
前記駆動パッドのそれぞれは、前記信号パッドのそれぞれと個別に接続される、請求項５に記載のフィルムアンテナ。
【請求項７】
前記回路基板は、グランド配線をさらに含み、
前記接続配線は、一対の前記グランド配線の間に配置される、請求項４に記載のフィルムアンテナ。
【請求項８】
隣り合う前記放射パターンの中心線間の距離はλ／２以上である、請求項１に記載のフィルムアンテナ。
【請求項９】
前記放射パターンは、メッシュ構造を含む請求項１に記載のフィルムアンテナ。
【請求項１０】
前記放射パターンの周辺に配列され、前記放射パターンの前記メッシュ構造と同一のメッシュ構造を有するダミーパターンをさらに含む、請求項９に記載のフィルムアンテナ。
【請求項１１】
前記放射パターンは、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）又はこれらの合金からなる群より選択される少なくとも一つを含む、請求項１に記載のフィルムアンテナ。
【請求項１２】
前記誘電層の底面上に形成されたグランド層をさらに含む、請求項１に記載のフィルムアンテナ。
【請求項１３】
請求項１〜１２のいずれか一項に記載のフィルムアンテナを含む、ディスプレイ装置。
【発明の詳細な説明】
【技術分野】
【０００１】
本発明は、フィルムアンテナ及びそれを含むディスプレイ装置に関する。より詳細には、電極パターンを含むフィルムアンテナ及びそれを含むディスプレイ装置に関する。
【背景技術】
【０００２】
近年、情報化社会が進展するにつれて、ワイファイ（Ｗｉ−Ｆｉ）、ブルートゥース（Ｂｌｕｅｔｏｏｔｈ：登録商標）などの無線通信技術がディスプレイ装置と結合され、例えばスマートフォンの形で実現されている。この場合には、アンテナが前記ディスプレイ装置に結合され、通信機能を実行することができる。
【０００３】
最近では、移動通信技術が進化するにつれて、超高周波帯域の通信を行うためのアンテナが前記ディスプレイ装置に結合される必要がある。
【０００４】
例えば、最近の５Ｇの高周波帯域の通信の場合には、波長がより短くなったことにより、信号の送受信が遮断される場合があり、また、送受信可能な周波数帯域が狭くて信号損失、信号遮断に弱いことがある。このため、所望の指向性、ゲイン及び信号効率を有する高周波アンテナへの要求が高まっている。
【０００５】
また、アンテナが搭載されるディスプレイ装置がより薄型、軽量化されることによって、前記アンテナが占めるスペースも減少し得る。このため、限られたスペースの中で、高周波、広帯域信号の送受信を同時に実現するには限界がある。
【０００６】
例えば、韓国公開特許第２０１３−００９５４５１号は、ディスプレイパネルに一体化されたアンテナを開示しているが、前述の問題に対しては解決策を提供していない。
【発明の概要】
【発明が解決しようとする課題】
【０００７】
本発明の課題は、向上した信号効率及び信頼性を有するフィルムアンテナを提供することである。
【０００８】
本発明の課題は、向上した信号効率及び信頼性を有するフィルムアンテナを含むディスプレイ装置を提供することである。
【課題を解決するための手段】
【０００９】
１．単一の誘電層と、前記単一の誘電層の上面上に共通に配列され、位相差配列（phased array）を形成する複数の放射パターンとを含む、フィルムアンテナ。
【００１０】
２．前記項目１において、前記放射パターンのそれぞれから延長する伝送線路と、前記伝送線路の一端に接続された信号パッドとをさらに含む、フィルムアンテナ。
【００１１】
３．前記項目２において、前記信号パッドと隣接するグランドパッドをさらに含み、前記信号パッドは、一対の前記グランドパッドの間に配置される、フィルムアンテナ。
【００１２】
４．前記項目２において、前記信号パッドと接続される接続配線を含む回路基板と、前記回路基板上に配置され、前記接続配線を介して前記放射パターンを個別に制御する駆動集積回路（ＩＣ）チップとをさらに含む、フィルムアンテナ。
【００１３】
５．前記項目４において、前記駆動ＩＣチップは、それぞれの前記放射パターンと電気的に接続され、互いに異なる位相の信号を給電する駆動パッドを含む、フィルムアンテナ。
【００１４】
６．前記項目５において、前記駆動パッドのそれぞれは、前記信号パッドのそれぞれと個別に接続される、フィルムアンテナ。
【００１５】
７．前記項目４において、前記回路基板は、グランド配線をさらに含み、
前記接続配線は、一対の前記グランド配線の間に配置される、フィルムアンテナ。
【００１６】
８．前記項目１において、隣り合う前記放射パターンの中心線間の距離はλ／２以上である、フィルムアンテナ。
【００１７】
９．前記項目１において、前記放射パターンは、メッシュ構造を含むフィルムアンテナ。
【００１８】
１０．前記項目９において、前記放射パターンの周辺に配列され、前記放射パターンの前記メッシュ構造と同一のメッシュ構造を有するダミーパターンをさらに含む、フィルムアンテナ。
【００１９】
１１．前記項目１において、前記放射パターンは、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）又はこれらの合金からなる群より選択される少なくとも一つを含む、フィルムアンテナ。
【００２０】
１２．前記項目１において、前記誘電層の底面上に形成されたグランド層をさらに含む、フィルムアンテナ。
【００２１】
１３．前記項目１〜１２のいずれかに記載のフィルムアンテナを含む、ディスプレイ装置。
【発明の効果】
【００２２】
本発明の実施形態に係るフィルムアンテナは、互いに異なる位相を有するアンテナパターンが互いに独立して配列され、駆動ＩＣチップを介してそれぞれ個別に制御できる。これにより、アンテナパターン相互間の干渉を防止しつつ、独立して信号送受信又は放射駆動を維持することができる。また、互いに異なる位相差を有するアンテナパターンが連続して配列されるので、受信される信号の波形の一部の重畳によって信号直進性（direcivity）が増加し、全体的なフィルムアンテナのゲイン（gain）を向上することができる。
【００２３】
さらに、アンテナパターンの位相差配列による各アンテナパターンの共振周波数の重畳により、広帯域の信号送受信を実現することができる。
【００２４】
前記フィルムアンテナは、３Ｇ以上、例えば５Ｇ高周波帯域の送受信が可能な移動通信機器を含むディスプレイ装置に適用され、放射特性および透過度のような光学特性を共に向上させることができる。
【図面の簡単な説明】
【００２５】
【図１】図１は、例示的な実施形態に係るフィルムアンテナを示す概略平面図である。
【図２】図２は、例示的な実施形態に係るフィルムアンテナを示す概略断面図である。
【図３】図３は、一部の例示的な実施形態に係るアンテナパターンの構造を示す概略平面図である。
【図４】図４は、例示的な実施形態に係るフィルムアンテナを示す概略平面図である。
【図５】図５は、例示的な実施形態に係るフィルムアンテナを示す概略断面図である。
【図６】図６は、例示的な実施形態に係るディスプレイ装置を説明するための概略平面図である。
【発明を実施するための形態】
【００２６】
本発明の実施形態は、互いに独立して駆動され、互いに異なる位相を有する複数の放射パターンを含み、指向性およびゲイン特性が向上したフィルムアンテナを提供するものである。
【００２７】
前記フィルムアンテナは、例えば、透明フィルムの形で製作されるマイクロストリップパッチアンテナ（microstrip patch antenna）であってもよい。前記フィルムアンテナは、例えば、３Ｇ〜５Ｇ移動通信のための通信機器に適用できる。
【００２８】
また、本発明の実施形態は、前記フィルムアンテナを含むディスプレイ装置を提供するものである。
【００２９】
以下、図面を参照して、本発明の実施形態をより具体的に説明する。ただし、本明細書に添付される図面は、本発明の好適な実施形態を例示するものであって、発明の詳細な説明とともに本発明の技術思想をさらに理解する一助となる役割を果たすものであるため、本発明は図面に記載された事項のみに限定されて解釈されるものではない。
【００３０】
図１及び図２は、それぞれ例示的な実施形態に係るフィルムアンテナを示す概略的な平面図および断面図である。
【００３１】
図１及び図２において、誘電層１００の上面に平行であり、例えば、互いに垂直に交差する二つの方向をそれぞれ第１方向及び第２方向と定義する。前記第１方向は、前記フィルムアンテナの幅方向、前記第２方向は、前記フィルムアンテナの長手方向であってもよい。前記フィルムアンテナの厚み方向は、第３方向と定義される。前述の方向の定義は、他の図面でも同様に適用できる。
【００３２】
図１及び図２を参照すると、前記フィルムアンテナは、誘電層１００上に形成された複数のアンテナパターンを含むことができる。前記アンテナパターンは、それぞれ放射パターン１１０および伝送線路１２０を含み、伝送線路１２０の一端と接続されるパッド電極１３０を含むことができる。図２に示すように、誘電層１００の底面上にはグランド層９０をさらに形成することができる。
【００３３】
誘電層１００は、所定の誘電率を有する絶縁物質を含むことができる。誘電層１００は、例えば、シリコン酸化物、シリコン窒化物、金属酸化物などの無機絶縁物質、またはエポキシ樹脂、アクリル樹脂、イミド系樹脂などの有機絶縁物質を含むことができる。誘電層１００は、放射パターン１１０が形成されるフィルムアンテナのフィルム基材として機能することができる。
【００３４】
例えば、透明フィルムを誘電層１００として提供することができる。前記透明フィルムは、例えば、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロ系またはノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；ポリエーテルスルホン系樹脂；スルホン系樹脂；ポリエーテルエーテルケトン系樹脂；硫化ポリフェニレン系樹脂；ビニルアルコール系樹脂；塩化ビニリデン系樹脂；ビニルブチラル系樹脂；アリレート系樹脂；ポリオキシメチレン系樹脂；エポキシ系樹脂などの熱可塑性樹脂を含むことができる。これらは、単独であるいは２以上を組み合わせて使用することができる。また、（メタ）アクリル系、ウレタン系、アクリルウレタン系、エポキシ系、シリコーン系などの熱硬化性樹脂または紫外線硬化型樹脂からなる透明フィルムを誘電層１００として活用することができる。
【００３５】
一部の実施形態では、誘電層１００の誘電率は、約１．５〜１２の範囲に調節することができる。前記誘電率が約１２を超えると、駆動周波数が減少しすぎて、所望の高周波帯域での駆動を実現できないことがある。
【００３６】
誘電層１００の上面上には、複数の放射パターンを互いに独立して配列することができる。例えば、図１に示すように、第１の放射パターン１１２、第２の放射パターン１１４及び第３の放射パターン１１６を前記第１方向に沿って配列することができる。説明を容易にするため、図１では３つのアンテナパターンを図示しているが、４つ以上の前記アンテナパターンを前記第１方向に沿って配列してもよい。
【００３７】
例示的な実施形態によると、前記放射パターンは、位相差配列（phased array）を形成することができ、第１〜第３の放射パターン１１２，１１４，１１６は、互いに異なる位相を有してもよい。
【００３８】
例えば、第１の放射パターン１１２を基準として、第２の放射パターン１１４は、第１の位相差（±α）で駆動することができ、第３の放射パターン１１６は、第２の位相差（±β）で駆動することができる。前記第１の位相差及び第２の位相差は互いに異なり、例えばα及びβが互いに異なっていてもよい。
【００３９】
例えば、基準となる放射パターンから位相差の値が順次増加してもよい。例えば、図１に示すように、第１の放射パターン１１２が基準放射パターンで提供される場合には、第１の放射パターン１１２から前記第１方向に行くほど位相差の値が増加してもよい。
【００４０】
一具現例において、基準放射パターンが中央に位置する場合（例えば、第２の放射パターン１１４）には、前記基準放射パターンから両側方向に位相差の値が増加するように放射パターンを拡張配列することができる。
【００４１】
前述した位相差配列は例示的なものであり、放射効率を考慮して適宜変更することができる。
【００４２】
伝送線路１２０は、それぞれの放射パターン１１０から分岐して延長することができる。例えば、伝送線路１２０は、各放射パターン１１０から延長してパッド電極１３０と電気的に接続することができる。
【００４３】
一部の実施形態では、伝送線路１２０および放射パターン１１０は、同じ導電物質を含むことができる。例えば、伝送線路１２０および放射パターン１１０は、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）又はこれらの合金を含むことができる。これらは、単独であるいは２以上を組み合わせて使用することができる。例えば、伝送線路１２０および放射パターン１１０は、低抵抗の実現のために、銀（Ａｇ）または銀合金を含むことができ、例えば、銀−パラジウム−銅（ＡＰＣ）合金を含むことができる。
【００４４】
一部の実施形態では、伝送線路１２０および放射パターン１１０は、インジウムスズ酸化物（ＩＴＯ）、インジウム亜鉛酸化物（ＩＺＯ）、インジウム亜鉛スズ酸化物（ＩＴＺＯ）、亜鉛酸化物（ＺｎＯｘ）のような透明金属酸化物を含むこともできる。
【００４５】
例えば、伝送線路１２０および放射パターン１１０は、前述した導電物質を含む導電層をパターニングして共に形成することができる。この場合、伝送線路１２０は、放射パターン１１０と一体に接続され、実質的に単一の部材で提供することができる。
【００４６】
例示的な実施形態によると、パッド電極１３０は、信号パッド１３１と、グランドパッド１３３とを含むことができる。一部の実施形態では、信号パッド１３１は、２つのグランドパッド１３３の間に配置することができる。
【００４７】
信号パッド１３１は、例えば、フレキシブル回路基板（ＦＰＣＢ）などの回路基板の配線と接続され、駆動集積回路（ＩＣ）チップからの給電信号を放射パターン１１０に伝達することができる。前述のように、前記駆動ＩＣチップを介して、各放射パターン１１２，１１４，１１６で位相差を有するように、互いに異なる給電信号を信号パッド１３１を経由して伝達することができる。前記回路基板は、フィルムアンテナのボンディング領域（Bonding Area：ＢＡ）でパッド電極１３０と接合することができる。
【００４８】
各放射パターン１１０と接続される各信号パッド１３１がグランドパッド１３３によってサンドイッチされることによって、隣り合うアンテナパターンの間の信号干渉が低減し、独立駆動、独立放射特性をより強化することができる。
【００４９】
パッド電極１３０は、放射パターン１１０および伝送線路１２０と実質的に同一又は類似の導電物質を含むように形成することができる。
【００５０】
一部の実施形態では、グランド層９０を誘電層１００の底面上にさらに配置することができる。例えば、誘電層１００によって放射パターン１１２，１１４，１１６とグランド層９０との間で前記第３方向に静電容量（capacitance）又はインダクタンス（inductance）が形成され、前記フィルムアンテナが駆動又はセンシングできる周波数帯域を調節することができる。例えば、前記フィルムアンテナは、垂直放射アンテナで提供することができる。
【００５１】
グランド層９０は、金属、合金または透明導電性酸化物を含むことができる。一実施形態では、前記フィルムアンテナが実装されるディスプレイ装置の導電性部材をグランド層９０で提供することもできる。
【００５２】
前記導電性部材は、例えば、ディスプレイパネルに含まれる薄膜トランジスタ（ＴＦＴ）のゲート電極、スキャンライン又はデータラインのような各種の配線、または画素電極、共通電極のような各種の電極などを含むことができる。
【００５３】
一部の実施形態では、グランド層９０は、接続グランド（図示せず）を介してグランドパッド１３３と電気的に接続することができる。例えば、前記接続グランドは、誘電層１００内に形成されたコンタクト又はビアの形状を有することができる。
【００５４】
前述のように、アンテナパターンの各放射パターン１１２，１１４，１１６をそれぞれ位相差配列が形成されるように配置し、独立した信号パッド１３１を介して個別に、互いに異なる位相の給電信号を各放射パターン１１２，１１４，１１６に分級できる。
【００５５】
これにより、各放射パターン１１２，１１４，１１６から生成される共振周波数の波形が一部重畳し、送受信信号の直進性（directivity）が改善され、これにより、ゲイン（gain）の大きさも増加できる。また、受信可能な周波数の波形の重畳によって、送受信可能な帯域幅もまた拡張できる。
【００５６】
また、互いに異なる位相の放射パターン１１２，１１４，１１６が同一層又は同一レベルに位置することにより、透明柔軟性フィルムアンテナを容易に実現できる。
【００５７】
一部の実施形態では、隣り合う放射パターン１１０の間の距離（例えば、隣り合う放射パターンの中心ライン間の距離）は、前述した位相シフトによる直進性の改善および独立駆動を考慮して、前記フィルムアンテナの共振周波数に相当する波長（λ）の半波長（λ／２）以上であってもよく、好ましくはλ以上であってもよい。
【００５８】
一部の実施形態では、パッド電極１３０の長さ（前記第２方向への長さ）は、回路基板とのインピーダンスマッチングのために約λ／４以上であってもよい。
【００５９】
図３は、一部の例示的な実施形態に係るアンテナパターンの構造を示す概略平面図である。説明を容易にするために、図３では１つのアンテナパターンのみを図示しているが、複数のアンテナパターンを誘電層１００上に配列してもよい。
【００６０】
図３を参照すると、放射パターン１１０は、メッシュ構造を含むことができる。例えば、前記メッシュ構造は、互いに交差する電極ラインによって定義することができる。
【００６１】
一部の実施形態において、放射パターン１１０の周辺にはダミーパターン１４０を形成することができる。ダミーパターン１４０もまた、放射パターン１１０と実質的に同一又は類似のメッシュ構造を含むことができる。例えば、メッシュ構造が切断された分離領域１５０により、ダミーパターン１４０を区画することができる。
【００６２】
これにより、放射パターン１１０の周辺の電極ラインの構造を均一化し、前記アンテナパターンがユーザに視認されることを防止することができる。また、前記メッシュ構造の適用により、フィルムアンテナの全体としての透過率を向上させることができる。
【００６３】
前述のように、伝送線路１２０は、放射パターン１１０と一体に接続することができ、前記メッシュ構造を含むことができる。
【００６４】
図４及び図５は、それぞれ例示的な実施形態に係るフィルムアンテナを示す概略的な平面図および断面図である。図４及び図５は、回路接続構造が共に併合されているフィルムアンテナの構造を示している。前記回路接続構造は、回路基板２００と、駆動ＩＣチップ３００とを含むことができる。
【００６５】
図５に示すように、回路基板２００を、フィルムアンテナのボンディング領域（ＢＡ）でフィルムアンテナの上部電極層１０５と電気的に接続することができる。上部電極層１０５は、図１で説明した位相差配列を形成する複数のアンテナパターンを含むことができる。上部電極層１０５は、放射パターン１１０と、伝送線路１２０と、パッド電極１３０とを含み、回路基板２００は、パッド電極１３０と接続することができる。
【００６６】
一部の実施形態では、パッド電極１３０は、放射パターン１１０および伝送線路１２０の上層または上部レベルに配置できる。この場合、パッド電極１３０は、回路基板２００との接触抵抗および信号損失の低減のために、中身が詰まった（solid）金属構造を有することができる。一実施形態では、図３で説明したように、放射パターン１１０は、メッシュ構造を含むように形成して透過率を向上させ、パッド電極１３０は、ソリッド構造で形成して信号速度を向上させることができる。
【００６７】
回路基板２００は、例えばＦＰＣＢ構造を有し、フレキシブルコア２１０および接続配線２２０を含むことができる。フレキシブルコア２１０は、エポキシ系樹脂、アクリル系樹脂、ポリイミド系樹脂、液晶ポリマー（ＬＣＰ）などを含むフレキシブル樹脂基板を含むことができる。
【００６８】
接続配線２２０は、フレキシブルコア２１０上に配列されてもよく、フレキシブルコア２１０内に印刷または埋め込みされてもよい。フレキシブルコア２１０上には、接続配線２２０を覆うカバーレイ（coverlay）層をさらに形成してもよい。
【００６９】
例示的な実施形態によると、各接続配線２２０は、各アンテナパターンと接続される信号パッド１３１にそれぞれ個別に、独立して接続することができる。接続配線２２０は、信号パッド１３１と直接接触してもよく、フレキシブルコア２１０内に形成されたコンタクト（図示せず）を介して信号パッド１３１と電気的に接続してもよい。
【００７０】
一部の実施形態では、接続配線２２０と信号パッド１３１との間に異方性の導電フィルム（ＡＣＦ）のような導電性の接続部材を挿入してもよい。
【００７１】
駆動ＩＣチップ３００は、回路基板２００上に配置することができる。駆動ＩＣチップ３００は、駆動パッド３１０を含み、駆動パッド３１０と接続される制御回路（図示せず）を含むことができる。
【００７２】
回路基板２００の接続配線２２０は、例えば、前記第１方向に延長し、駆動ＩＣチップ３００の駆動パッド３１０と電気的に接続することができる。駆動パッド３１０は、各接続配線２２０ごとに対応するように形成することができる。
【００７３】
例示的な実施形態によると、各駆動パッド３１０を介して位相差配列で配置された放射パターン１１２，１１４，１１６を、個別に、独立して制御することができ、互いに異なる位相差で各放射パターン１１２，１１４，１１６に給電を行うことができる。
【００７４】
回路基板２００は、グランド配線２３０をさらに含み、駆動ＩＣチップ３００は、グランド回路パッド３２０をさらに含むことができる。
【００７５】
例示的な実施形態によると、回路基板２００のグランド配線２３０は、グランドパッド１３３とそれぞれ個別に接続され、駆動ＩＣチップ３００のグランド回路パッド３２０と接続することができる。
【００７６】
回路基板２００では、各接続配線２２０及び一対のグランド配線２３０を、フィルムアンテナの各アンテナパターンごとに提供することができる。互いに異なる位相差の放射が可能なように配列された放射パターン１１２，１１４，１１６ごとに各接続配線２２０が接続され、個別に、独立した放射を実現でき、接続配線２２０が一対のグランド配線２３０の間に配置され、ノイズ遮蔽機能を共に実現することができる。
【００７７】
図６は、例示的な実施形態に係るディスプレイ装置を説明するための概略平面図である。例えば、図６は、ディスプレイ装置のウインドウを含む外部形状を示している。
【００７８】
図６を参照すると、ディスプレイ装置４００は、表示領域４１０および周辺領域４２０を含むことができる。周辺領域４２０は、例えば、表示領域４１０の両側部及び／又は両端部に配置することができる。
【００７９】
一部の実施形態において、前述したフィルムアンテナは、ディスプレイ装置４００の周辺領域４２０にパッチの形で挿入することができる。一部の実施形態において、前記フィルムアンテナのボンディング領域（ＢＡ）は、ディスプレイ装置４００の周辺領域４２０に対応するように配置することができる。
【００８０】
周辺領域４２０は、例えば、画像表示装置の遮光部又はベゼル部に相当し得る。また、周辺領域４２０には、回路基板２００と駆動ＩＣチップ３００を共に配置することができる。
【００８１】
フィルムアンテナのボンディング領域（ＢＡ）を周辺領域４２０内で前記駆動ＩＣチップと隣接するように配置することにより、信号の送受信経路を短縮して信号損失を抑制することができる。
【図１】
2021511719.tif 000003
【図２】
2021511719.tif 000004
【図３】
2021511719.tif 000005
【図４】
2021511719.tif 000006
【図５】
2021511719.tif 000007
【図６】
2021511719.tif 000008
【国際調査報告】
2021511719.tif 000009
2021511719.tif 000010
2021511719.tif 000011
2021511719.tif 000012